(57)【要約】      （修正有）【課題】特殊な金具を使用することなく、アンダラップの損傷を回避し、低コストで軒先瓦の下地材へ強固に固定する。防災瓦の場合の係合突起が破損したときの確実な補強を可能とする。【解決手段】一方の側面にアンダラップ２１を、他方の側面にオーバラップ（図示せず）を形成した粘土瓦２において、前記アンダラップ２１に配置した堤状の水返し２２の頭部に寄った部分に設けた固定用穴に固定用ねじ３１をねじ込み、屋根の下地材４１に固定可能としたもので、この固定用ねじ３１をねじ込むための固定用穴は、隠し固定穴とした。【選択図】図１
2010261149.tif 000002
【特許請求の範囲】
【請求項１】
一方の側面にアンダラップを、他方の側面にオーバラップを形成した粘土瓦において、前記アンダラップに配置した水返しの頭部に寄った部分に、表面を閉鎖した隠し固定用穴を設けたことを特徴とする防災瓦。
【請求項２】
前記粘土瓦が、その尻部上面に係合突起を形成し、葺き上げ時に、下側に配置された瓦の係合突起が上側に配置された瓦の係合部に係合され、上下の瓦が係合状態を構成する耐風構造を備えた粘土瓦である請求項１に記載の防災瓦。
【発明の詳細な説明】
【技術分野】
【０００１】
本発明は、葺き上げ時に、軒先先端部分に葺かれる粘土瓦の耐風構造の改良に関する。
【背景技術】
【０００２】
平板状屋根瓦、例えばスレート系平板瓦の場合、その軒先瓦を下地材に強固に固定する方法として、特許文献１では、軒先瓦用耐風クリップを提案している。このクリップは、図４（斜視図）に示すような帯状基板１０ａの先端をＴ字状に成形し、その一方端は軒先スタータ（図示せず）と係合可能なかぎ形１０ｂに、他方端は軒先瓦の先端（図示せず）と係合可能なかぎ形１０ｃに構成したものである。
【０００３】
軒先の施工において、軒先スタータとかぎ形１０ｂを係合させ、釘などで一体に下地に固定し、次いで、軒先瓦をその先端をかぎ形１０ｃと係合させて葺設すれば、従来用いた固定用穴の穿設、釘打ち作業などを行うことなく、軒先瓦を固定することだできることになる。このような耐風クリップを粘土瓦に応用可能ではあるが、軒先に耐風クリップが露出するため、特に外観上、好ましくないという問題があった。
【０００４】
クリップが露出しないで軒先瓦を下地材に強固に固定する方法として、軒先瓦固定用クリップが特許文献２で提案されている。このクリップの斜視図である図５によると、このクリップ１１は、周縁部に爪１１ａを設けた土台板１１ｂ、柱板１１ｃ、引掛け部１１ｄを先端に設けた押え板１１ｅから構成されている。
【０００５】
このクリップ１１は、図６に示すように用いられる。すなわち、軒先瓦１２のアンダラップ１２ａの上面に押え板１１ｅを押し当てながら土台板１１ｂを屋根下地材１３に爪１１ａを突き刺して仮固定する。その後、土台板１１ｂを釘やネジ（１３ａ）でもって、屋根下地材１３に固定すれば、一連の軒先瓦を強固に固定する葺設作業を効率よく行うことができるのである。
【０００６】
この場合は、クリップ１１は隣り合う軒先瓦によって覆われるから、外部に露出することはない利点が得られる。しかしながら、専用の軒先瓦固定用クリップを予め準備して置く必要があり、コストアップになるなど不利な面があった。
【０００７】
比較的手軽に行える軒先瓦の固定手段として、図７に示すような、通常、Ｌ釘（１４）と呼ばれる逆Ｌ字形金具が用いられている。軒先瓦１２の葺設に際して、図７（ａ）のように、アンダラップ1２ａにそって、下地材、たとえば広小舞に対して、ハンマを用いてＬ釘１４を打ち込み、図７（ｂ）に示すように、Ｌ釘１４の係合折り曲げ部１４ａをアンダラップ１２ａに係合させれば、軒先瓦を下地に強固に固定することができる。
【０００８】
このようなＬ釘１４を用いる方法では、ハンマの操作を誤るとアンダラップ１２ａを損傷するなどの不具合があり、熟練した技術が要求される他、Ｌ釘１４を異常に変形させてしまい十分な固定強度が得られない、あるいは汎用金具ではないため、コスト増などの問題もあった。
【０００９】
さらに、耐風性能を改善した防災瓦として、瓦の尻部上面に係合突起（フック）を形成し、葺き上げ時に、上側に配置される瓦のアンダラップの側端部分が下側に配置された瓦の前記係合突起の下側に挿入され、上下の瓦が係合状態を構成する耐風構造を備えた粘土瓦がある。この種の防災瓦の場合も、軒先瓦として用いられる場合には、下側に配置される瓦が存在しないので、軒先に配置される瓦は、前記した各種の方法で、下地材に固定する必要があり、前記した問題を含んでいた。
【００１０】
また、この種類の防災瓦の場合、軒先瓦以外の使用形態において、前記係合突起が何らかの理由で損傷した場合には、シリコン系接着剤を用いて下地材に接着固定するという補強を行うのが通例であったが、補強強度または耐久性にバラツキが生じるという問題もあって、軒先使用の場合と同様に改善が要望されていた。
【先行技術文献】
【特許文献】
【００１１】
（１）特開平８−１１４００６号公報：段落（００００）、図・
（２）特開２００４−８４４２６号公報：特許請求の範囲、図１、図２
【発明の概要】
【発明が解決しようとする課題】
【００１２】
本発明は、上記の問題点を解決するためになされたものであり、Ｌ釘の他、特殊なクリップなどを使用することなく、アンダラップの損傷を回避し、低コストで軒先瓦の下地材への安定した固定の実現を図るとともに、前記アンダラップの側端部分と係合突起との係合による耐風瓦の場合の係合突起が破損したときの確実な補強を可能とする防災瓦を提供する。
【課題を解決するための手段】
【００１３】
上記の問題は、一方の側面にアンダラップを、他方の側面にオーバラップを形成した粘土瓦において、前記アンダラップに配置した水返しの頭部に寄った部分に、表面を閉鎖した隠し固定用穴を設けたことを特徴とする本発明の防災瓦によって、解決することができる。
【００１４】
また、本発明は、前記粘土瓦が、その尻部上面に係合突起を形成し、葺き上げ時に、下側に配置された瓦の係合突起が上側に配置された瓦の係合部に係合され、上下の瓦が係合状態を構成する耐風構造を備えた粘土瓦である形態に好ましく具体化できる。
【発明の効果】
【００１５】
本発明の防災瓦は、軒先瓦として用いられる場合は、前記隠し固定用穴を開通させて利用して単純な釘またはネジなどの金具で下地材に強固に固定することができる。そして、その固定作業も単純な釘うちあるいはねじ込み操作なので、作業に格別の経験を必要とせず、また瓦を損傷することもない。さらに、本発明に用いられる固定釘やねじには、汎用的な形状の金物が応用可能なので、コスト面でも有利であり、また、固定後のねじ頭などは、隣接して葺かれる瓦のオーバラップによって覆われるので、外観上の不具合を生じないという利点もある。
【００１６】
また、本発明の防災瓦は、軒先瓦以外の用途の場合など、それら隠し固定用穴を利用しないときには、当該部分の表面は閉鎖されているので下地材の方への漏水のおそれもない。さらに、本発明の防災瓦は、軒先瓦以外の用途の場合でも、必要に応じて、この瓦をそれら隠し固定用穴を利用して、下地材に強固に固定することができる。
【００１７】
また、本発明の防災瓦が、その尻部上面に係合突起を形成し、葺き上げ時に、下側に配置された瓦の係合突起が上側に配置された瓦の係合部に係合され、上下の瓦が係合状態を構成する耐風構造を備える場合において、前記係合突起が何らかの理由で損傷した場合には、このように、隠し固定用穴を利用して瓦を個別に下地に固定できるから、接着剤などの補修方法に比較して長期に耐風性能を保持できる利点も得られる。  よって本発明は、従来の問題点を解消した防災瓦として、工業的価値はきわめて大なるものがある。
【図面の簡単な説明】
【００１８】
【図１】本発明の防災瓦の固定状態を示す要部俯瞰図（ａ）。
【図２】実施形態１を示す要部俯瞰図、表面（ａ）裏面（ｂ）表面の開通した隠し固定用穴（ｃ）。
【図３】実施形態２を示す要部俯瞰図、正常な状態（ａ）、係合突起が損傷した状態（ｂ）、釘打ち補修した状態（ｃ）。
【図４】従来の平板形軒先瓦固定用クリップを示す斜視図。
【図５】他の軒先瓦固定用クリップを示す斜視図（ａ）（ｂ）。
【図６】図５に示す軒先瓦固定用クリップに使用状況を示す要部断面図。
【図７】従来のＬ釘の使用状況を示す要部俯瞰図、固定前（ａ）、固定後（ｂ）。
【図８】実施形態３を示す要部俯瞰図。
【図９】実施形態４を示す要部俯瞰図。
【発明を実施するための形態】
【００１９】
次に、本発明の防災瓦に係る実施形態１、２について、図１〜３を参照しながら説明する。
（実施形態１）
本発明の防災瓦は、軒先瓦として用いられる場合には、汎用的な形状の金物である固定釘やねじを用いて、下地材に強固に固定することができるようにしたものであり、具体的には、図１に示すように、一方の側面にアンダラップ２１を、他方の側面にオーバラップ（図示せず）を形成した粘土瓦２において、前記アンダラップ２１に配置した堤状の水返し２２の頭部に寄った部分に設けた固定用穴２３に固定用ねじ３１をねじ込み屋根の下地材４１に固定可能としたものである。
【００２０】
そして、本発明の特徴は、固定用ねじ３１をねじ込むための、固定用穴２３は、図２に示すように、表面を覆った隠し固定穴としたところにある。すなわち、図２（ａ）に示すように、使用前には、表面には固定用穴２３は露出していないが、図２（ｂ）に示すように、裏面の当該位置に内部に向けて穿孔加工し、貫通しない程度の厚さの薄肉部を残して穿設しておくことにより、表面が閉鎖された隠し固定穴とすることができる。この場合、裏面には開口部２３ｂが形成される。
【００２１】
このような隠し固定穴は、瓦生地のプレス成形時または成形後可塑性のあるうちに、裏面から直径３〜6ｍｍのピンを圧入し、かつ貫通しないよう薄肉部を残して穿孔加工すればよい。この薄肉部は、隠し固定穴の利用に際して、尖った尖端を持つハンマなどで表面に軽く衝撃を与える程度で容易に欠落して開口して、固定用穴２３として開通する厚さに設定されている。この厚さは好ましくは３ｍｍ以下である。
この薄肉部を設けない場合は、後工程の施釉工程において液状の釉薬が流入して穴を閉塞してしまうので、必要になったときの開口加工が不可能となるから、前記穿孔加工の加工条件を十分に管理しなければならない。
【００２２】
そして、軒先瓦として用いられる際になって、この薄肉部を尖った尖端を持つハンマなどで軽く衝撃を与えれば、図２（ｃ）に示すように、固定用ねじ３１をねじ込むための固定用穴２３を開口させることができ、図１に通り、固定用ねじ３１をねじ込んで屋根の下地材４１に固定することができるのである。
なお、図２に示すように、隠し固定穴を設けた堤状の水かえし２２の部分の強度を補強するために、その部分が幅広に形成するのがよい。
【００２３】
ここでは、固定金具として、固定用ねじ３１で説明したが、これは固定用釘であってもなんら差支えなく、本発明の防災瓦は、このような単純な釘またはネジなどで下地材に強固に固定することができるうえ、その作業も単純な釘うちあるいはねじ込み操作なので、経験の浅い作業者でも瓦を損傷することなく行えるメリットがある。その他、本発明では、汎用的な金物が応用可能なので、安価であり、固定後のネジ頭は隣接する瓦によって隠されるので、外観上も好ましいものとなる。
【００２４】
また、本発明の防災瓦は、軒先瓦以外の用途の場合など、それら隠し固定用穴を利用しないときであっても、当該部分の表面は閉鎖されているので下地材の方への漏水のおそれもない。さらに、軒先瓦以外の用途の場合でも、必要に応じて、この瓦を隠し固定用穴を利用して下地材に強固に固定することができる。
【００２５】
（実施形態２）
本発明は、図３に示すような防災瓦の場合には、より好ましく具体化できる。
すなわち、図３（ａ）に示す粘土瓦２のその尻部上面に係合突起２５を形成し、葺き上げ時に、上側に配置される瓦のアンダラップの側端部分２３が下側に配置された瓦の前記係合突起２５の先端部分の下側に挿入されることにより、上下の瓦が係合状態を構成する耐風構造を備えた防災粘土瓦の場合である。
なお、ここではストレート葺きの場合を図示して説明しているが、本発明は千鳥葺きにも同様に適用できるものであることは言うまでもない。また後記の実施形態３、４の場合も同様である。
【００２６】
この防災瓦において、何らかの原因で、前記係合突起２５で損傷し欠損した場合（図３（ｂ）参照）には、係合関係がなくなるから耐風構造が維持できなくなるが、その場合には、図３（ｂ）→（ｃ）のように、隠し固定用穴を加工して固定用穴２３を出現させ、固定用ねじ３１をもって瓦を個別に下地に確実に固定するという補修が可能となる。
かくして、前記係合突起２５で損傷し欠損した場合には、従来、接着剤などで補修せざるを得なかったのであるが、本発明によって、長期に耐風性能を保持できる利点も得られるのである。
【００２７】
この固定用穴２３（隠し固定穴）が設けられる位置は、アンダラップ２１に配置した堤状の水返し２２の頭部に寄った部分であるが、前記固定用ねじ３１が、葺き上げ状態で下側に配置される瓦の尻部と干渉しない位置に頭部先端からずらして設定されるものである。より具体的には、アンダラップ頭端より尻方向に５０mm〜１５０mmに範囲内の設けるのが好ましい。
【００２８】
（実施形態３）
本発明は、図８に示すような防災瓦の場合においても、より好ましく具体化できる。
すなわち、図８に示す粘土瓦３の尻部上面に係合突起３５を形成し、葺き上げ時に、上側に配置される瓦の頭側オーバラップの裏面付け根に設けた凹部３６に、下側に配置された瓦の前記係合突起３５の先端部分が挿入され、上下の瓦が係合状態を構成する耐風構造を備えた防災粘土瓦の場合である。
【００２９】
この防災瓦において、何らかの原因で、前記係合突起3５で損傷し欠損した場合には、実施形態２の場合と同様に、隠し固定用穴を加工して固定用穴３３を出現させ、固定用ねじ（図示せず）をもって瓦を個別に下地に確実に固定するという補修が可能となる。
【００３０】
（実施形態４）
本発明は、図９に示すような防災瓦の場合においても、より好ましく具体化できる。
すなわち、図９に示す粘土瓦４の尻側上面に係合突起４５を形成し、葺き上げ時に、上側に配置される瓦の頭部の側端部分４６が下側に配置された瓦の前記係合突起４５の先端部分の下側に挿入され、上下の瓦が係合状態を構成する耐風構造を備えた防災粘土瓦の場合である。
【００３１】
この防災瓦においても、何らかの原因で、前記係合突起４５で損傷し欠損した場合には、実施形態２、３の場合と同様に、隠し固定用穴を加工して固定用穴４３を出現させ、固定用ねじ（図示せず）をもって瓦を個別に下地に確実に固定するという補修が可能となるのである。
【００３２】
本発明の防災瓦の実施形態１、２では、アンダラップ２１に配置した堤状の水返し２２の頭部に寄った部分に固定用ねじ３１をねじ込み可能とした隠し固定用穴を１箇所設けたもの例示しているが、これは複数箇所配置してもよい。すなわち、軒先瓦として用いられる場合、固定用ねじ３１が固定されるための好ましい屋根下地材は広小舞であるが、軒先瓦ではない場合、固定用ねじ３１は瓦桟木の固定されるのが強度上好ましい。従って、この広小舞と瓦桟木のそれぞれの位置に適合するよう前後に間隔を設けて少なくとも２ヶ所に隠し固定用穴を配置するのが好ましい。これらは、実施形態３、４の場合も同様であることはいうまでもない。
【００３３】
なお、本発明の防災瓦は、軒先瓦以外の用途の場合、それら隠し固定用穴を利用しないときであっても、当該部分の表面は閉鎖されているので下地材の方への漏水のおそれもない。さらに、本発明の防災瓦は、軒先瓦以外の用途の場合でも、この瓦をそれら隠し固定用穴を利用して下地材に強固に固定することができるなどの利点もある。
【符号の説明】
【００３４】
２：粘土瓦、２１：アンダラップ、２２：水返し、２３：固定用穴、２３ｂ：開口部
３１：固定用ねじ
４１：下地材
【図１】
2010261149.tif 000003
【図２】
2010261149.tif 000004
【図３】
2010261149.tif 000005
【図４】
2010261149.tif 000006
【図５】
2010261149.tif 000007
【図６】
2010261149.tif 000008
【図７】
2010261149.tif 000009
【図８】
2010261149.tif 000010
【図９】
2010261149.tif 000011